(57)【要約】【課題】居住性、コンパクト性及び組み立て容易性に優れたテントを提供する。【解決手段】テント１は、テントシート２と、テントシートを支持するための複数のポール３と、複数のポールに対応してテントシートの表面に沿って形成され、複数のポールを挿通するための複数のスリーブ４と、を備える。テントシート２は、ドーム型の形状を有するドーム部１１と、ドーム部の下端縁から下方に延設された裾部１２と、を含む。裾部の下端縁で形成される図形の設置面への投影面積は、ドーム部の下端縁で形成される図形の設置面への投影面積よりも小さい。複数のスリーブは、ドーム部の中央領域に対して、ドーム部の一方側の下端部から、他方側の下端部まで、ドーム部の表面に沿うように配置された複数の第１スリーブ４ａを含む。【選択図】図２
2019015120.tif 000002
【特許請求の範囲】
【請求項１】
テントシートと、前記テントシートを支持するための複数のポールと、前記複数のポールに対応して前記テントシートの表面に沿って形成され、前記複数のポールを挿通するための複数のスリーブと、を備えるテントであって、
前記複数のポールが、前記複数のスリーブに挿通されて前記テントが設置面上に設置されたとき、
前記テントシートは、
ドーム型の形状を有するドーム部と、
前記ドーム部の下端縁から下方に延設された裾部と、を含み、
前記裾部の下端縁で形成される図形の前記設置面への投影面積は、前記ドーム部の下端縁で形成される図形の前記設置面への投影面積よりも小さく、
前記複数のスリーブは、前記ドーム部の中央領域に対して、前記ドーム部の一方側の下端部から、他方側の下端部まで、前記ドーム部の表面に沿うように配置された複数の第１スリーブを含む、
テント。
【請求項２】
前記裾部の側面と前記設置面とが成す接触角の範囲は、９０度より大きく１８０度より小さい、
請求項１に記載のテント。
【請求項３】
前記テントシートは、複数のシート部材から構成されており、
前記複数のシート部材の各々は、多角形の形状を有する、
請求項１又は２に記載のテント。
【請求項４】
前記テントシートは、球形多面体の形状を有し、
前記複数のシート部材は前記球形多面体の各多角形の面を構成する、
請求項３に記載のテント。
【請求項５】
前記球形多面体は、アルキメデス立体を含む、
請求項４に記載のテント。
【請求項６】
前記アルキメデス立体は、イコシドデカヘドロンを含む、
請求項５に記載のテント。
【請求項７】
前記複数のシート部材のうち、複数の、隣り合うシート部材同士の境界線は、前記ドーム部の中央領域に対して一方側の下端部から、他方側の下端部まで連鎖する連鎖境界線を形成しており、前記複数の第１スリーブの各々は、互いに異なる連鎖境界線に沿って配置されている、
請求項３乃至６のいずれか一項に記載のテント。
【請求項８】
前記複数のスリーブは、前記テントシートの測地線に沿って配置されている、
請求項３乃至７のいずれか一項に記載のテント。
【請求項９】
前記複数のポールのうちの前記複数の第１スリーブに挿通される複数の第１ポールは互いに長さが等しい、
請求項８に記載のテント。
【請求項１０】
前記複数のポールの各々は、分解可能又は折り畳み可能である、
請求項１乃至９のいずれか一項に記載のテント。
【発明の詳細な説明】
【技術分野】
【０００１】
本発明は、テントに関する。
【背景技術】
【０００２】
ドーム型のテントが知られている。ドーム型のテントとしては、例えば米国特許第３８６３６５９号明細書に記載の「テント」、米国特許第４２６５２５９号明細書に記載の「シェルター構造」、米国特許第８６０２０４４号明細書に記載の「改善されたテントの組み立て体」が挙げられる。これらの特許文献で開示されたドーム型のテントは、略半球型に組まれたポールとテントシートとにより構成されており、テントシートで形成される居住空間が略半球の形状を有する。
【先行技術文献】
【特許文献】
【０００３】
【特許文献１】米国特許第３８６３６５９号明細書
【特許文献２】米国特許第４２６５２５９号明細書
【特許文献３】米国特許第８６０２０４４号明細書
【発明の概要】
【発明が解決しようとする課題】
【０００４】
特許文献のようなドーム型のテントにおいて、その居住性を高めるために、高さ方向の居住空間を増加させる方法としては、略半球状のテントシートの直径を大きくする方法が考え得る。しかし、テントシートの直径を大きくすると、テントの設置面積が拡大するので、広い設置場所が必要となり、設置場所が著しく制限されるおそれがある。また、テントシートの直径を大きくすると、テント全体が大きくなるので、少人数・短時間でテントを組み立てることが難しくなるおそれがある。高さ方向の居住空間を増加させつつ、設置面積の増加を抑えて、組み立てを容易にするテントが望まれる。
【０００５】
本発明の目的は、高さ方向の居住空間を増加させつつ、設置面積の増加を抑えて、組み立てを容易にすることが可能な、居住性、コンパクト性及び組み立て容易性に優れたテントを提供することにある。
【課題を解決するための手段】
【０００６】
本発明のテントは、テントシートと、前記テントシートを支持するための複数のポールと、前記複数のポールに対応して前記テントシートの表面に沿って形成され、前記複数のポールを挿通するための複数のスリーブと、を備えるテントであって、前記複数のポールが、前記複数のスリーブに挿通されて前記テントが設置面上に設置されたとき、前記テントシートは、ドーム型の形状を有するドーム部と、前記ドーム部の下端縁から下方に延設された裾部と、を含み、前記裾部の下端縁で形成される図形の前記設置面への投影面積は、前記ドーム部の下端縁で形成される図形の前記設置面への投影面積よりも小さく、前記複数のスリーブは、前記ドーム部の中央領域に対して、前記ドーム部の一方側の下端部から、他方側の下端部まで、前記ドーム部の表面に沿うように配置された複数の第１スリーブを含む、テント、である。
【発明の効果】
【０００７】
本発明によれば、高さ方向の居住空間を増加させつつ、設置面積の増加を抑えて、組み立てを容易にすることが可能な、居住性、コンパクト性及び組み立て容易性に優れたテントを提供できる。
【図面の簡単な説明】
【０００８】
【図１】図１は実施の形態に係るテントの構成例を示す斜視図である。
【図２】図２は実施の形態に係るテントの構成例を示す正面図である。
【図３】図３は実施の形態に係るテントの構成例を示す平面図である。
【図４】図４は実施の形態に係るテントの構成例を示す底面図である。
【図５】図５は実施の形態に係るテントの構成例を示す模式図である。
【図６】図６は実施の形態に係るテントの組み立て途中の状態を示す斜視図である。
【図７】図７は実施の形態に係るテントシートの構成例を示す正面図である。
【図８】図８は実施の形態に係るスリーブの構成例を示す正面図である。
【図９】図９は実施の形態に係るテンション構造の構成例を示す斜視図である。
【図１０】図１０は実施の形態に係るテンション構造の構成例を示す模式図である。
【図１１】図１１は実施の形態に係るテンション構造の作用を示す模式図である。
【図１２】図１２は実施の形態に係る案内手段の構成例を示す斜視図である。
【図１３】図１３は実施の形態に係る案内手段の他の構成例を示す斜視図である。
【発明を実施するための形態】
【０００９】
本発明の開示は、具体的には以下の態様に関する。
［態様１］
テントシートと、前記テントシートを支持するための複数のポールと、前記複数のポールに対応して前記テントシートの表面に沿って形成され、前記複数のポールを挿通するための複数のスリーブと、を備えるテントであって、前記複数のポールが、前記複数のスリーブに挿通されて前記テントが設置面上に設置されたとき、前記テントシートは、ドーム型の形状を有するドーム部と、前記ドーム部の下端縁から下方に延設された裾部と、を含み、前記裾部の下端縁で形成される図形の前記設置面への投影面積は、前記ドーム部の下端縁で形成される図形の前記設置面への投影面積よりも小さく、前記複数のスリーブは、前記ドーム部の中央領域に対して、前記ドーム部の一方側の下端部から、他方側の下端部まで、前記ドーム部の表面に沿うように配置された複数の第１スリーブを含む、テント。
【００１０】
本態様１のテントでは、ドーム型（半球状）のドーム部の下方に裾部が付加されている。したがって、裾部の分だけテント内の高さが高くなるので、高さ方向の居住空間を増加させることができる。それにより、使用者がテント内で立ち上がることができるなど、テントでの高さ方向の居住性を向上させることができる。そのとき、本テントでは、裾部の下端で形成される図形の投影面積を、ドーム部の下端で形成される図形の投影面積よりも小さくしている。それにより、ドーム部の設置面積以上にテントの設置面積を拡げる必要が無く、設置場所の制限を抑制できる。すなわち、高さ方向の居住空間を増加させつつ、設置面積の増加を抑えることができる。
更に、本テントでは、平面視で、裾部がドーム部よりも内側に位置することになるので、テントを組み立てるときに、テントシートを拡げると、裾部はドーム部にほぼ覆われて、下側に隠れることになる。このようなテントの場合、もし仮にドーム部の表面だけでなく、裾部の表面にまでスリーブが連なっていると、テントを組み立てるときに、下側に隠れた裾部の第１スリーブにまでポールを通す必要があり、複数の第１スリーブに複数のポールを通すことが難くなるおそれがある。そこで、本テントでは、複数の第１スリーブが、裾部には形成されず、ドーム部の一方側の下端部から他方側の下端部まで、ドーム部の表面に沿うように配置されている。それゆえ、複数のポールのうちの複数の第１ポールの各々を複数の第１スリーブの一つに容易に挿通させることができる。それにより、第１ポールの両端部を起立させ、テントシートをポールで吊り下げるようにして、テントを容易に組み立てることができる。すなわち、高さ方向の居住空間を増加させつつ、テントを容易に組み立てることができる。なお、裾部では複数のポールがむき出しになるが、それら複数のポールをフックや着脱式のスリーブなどで、裾部に取り付けることが可能である。
このように、高さ方向の居住空間を増加させつつ、設置面積の増加を抑えて、組み立てを容易にする、居住性、コンパクト性及び組み立て容易性に優れたテントを得ることができる。
【００１１】
［態様２］
前記裾部の側面と前記設置面とが成す接触角の範囲は、９０度より大きく１８０度より小さい、上記態様１に記載のテント。
【００１２】
本態様２のテントでは、裾部の側面と設置面との接触角の範囲が９０度より大きく１８０度であり、したがって、テントシートの下方側の部分は、下方へ向かうに連れて窄まった形状を有している。すなわち、テントの内部では、側面が、裾部においてテントの底面からドーム部との境界に（上方へ）向かうに連れて外側に広がり、ドーム部において裾部とドーム部との境界から天井に（更に上方へ）向かうに連れて内側に縮まる形状となる。そのため、テントの内部で使用者がテントの側面の近くに着座したときでも、従来のドーム型のテントと比較して、使用者が頭部を圧迫されることを抑制できる。それにより、使用者が着座した状態での平面方向の居住空間を増加させることができる。すなわち、平面方向の居住空間を増加させて、居住性をより高めることができる。
【００１３】
［態様３］
前記テントシートは、複数のシート部材から構成されており、前記複数のシート部材の各々は、多角形の形状を有する、上記態様１又は２に記載のテント。
【００１４】
本態様４のテントでは、シート部材は多角形の形状を有しているので、組み立てる前の段階でも、シート部材の形状を容易に把握することができる。それにより、組み立てるときに、テントシートを適切に展開でき、例えばスリーブの入口／出口などの位置を的確に把握できるので、テントをより容易に組み立てることが可能となる。
【００１５】
［態様４］
前記テントシートは、球形多面体の形状を有し、前記複数のシート部材は前記球形多面体の各多角形の面を構成する、上記態様３に記載のテント。
【００１６】
本態様４のテントでは、テントシート（ドーム部＋裾部）が球形多面体の形状を有している。ただし、この場合、球形多面体のうち、球の上方側の半分に対応する部分は、略半球状のドーム部であり、球の下方側の半分に対応する部分は、略半球のうちの下方側の部分が前記設置面と平行な平面で切断された形状の裾部である。この場合、テントシートがより球形に近いため、高さ方向及び平面方向での居住性をより高めることができる。また、テントシートがより球形に近いため、テントシート内の容積に対するテントシートの表面を沿うスリーブ及びポールの長さを相対的に短くできる。よって、ポールをスリーブにより容易に挿通させることができるので、テントの設置に掛かる時間と手間を削減でき、テントをより容易に組み立てることができる。
【００１７】
［態様５］
前記球形多面体は、アルキメデス立体を含む、上記態様４に記載のテント。
【００１８】
本態様５のテントでは、テントシートがアルキメデス立体の形状を有している。すなわち、テントシートが更により球形に近いため、高さ方向及び平面方向での居住性を更により高めることができる。また、テントシート内の容積に対するテントシートの表面を沿うスリーブ及びポールの長さを相対的により短くでき、ポールをスリーブに更により容易に挿通させることができる。それにより、テントをより容易に組み立てることができる。
【００１９】
［態様６］
前記アルキメデス立体は、イコシドデカヘドロンを含む、上記態様５に記載のテント。
【００２０】
本態様７のテントでは、テントシートがイコシドデカヘドロンの形状を有している。すなわち、アルキメデス立体の中でもより球形に近い形状を有している。それゆえ、高さ方向及び平面方向での居住性を更により高めることができ、テントをより容易に組み立てることができる。
【００２１】
［態様７］
前記複数のシート部材のうち、複数の、隣り合うシート部材同士の境界線は、前記ドーム部の中央領域に対して一方側の下端部から、他方側の下端部まで連鎖する連鎖境界線を形成しており、前記複数の第１スリーブの各々は、互いに異なる連鎖境界線に沿って配置されている、上記態様３乃至７のいずれか一項に記載のテント。
【００２２】
本態様７のテントでは、複数の、隣り合うシート部材同士の境界線が、ドーム部の一方側の下端から他方側の下端まで連鎖する連鎖境界線を形成しており、その連鎖境界線に沿って第１スリーブが配置されている。そのため、第１スリーブがシート部材を横切らない、すなわちシート部材の内側にスリーブとの結合箇所を有さないので、組み立てる前の段階でも、シート部材の形状を容易に把握することができる。それにより、組み立てるときに、テントシートを適切に展開でき、スリーブの入口／出口を的確に把握できるので、テントを容易に組み立てることが可能となる。
【００２３】
［態様８］
前記複数のスリーブは、前記テントシートの測地線に沿って配置されている、上記態様３乃至７のいずれか一項に記載のテント。
【００２４】
本態様８のテントでは、複数のスリーブがテントシートの測地線に沿って配置されている。それにより、複数のスリーブ、延いては複数のポールの長さを最短の長さにすることができ、ボールをスリーブにより容易に挿通させることができる。したがって、テントの設置に掛かる時間と手間を削減でき、テントをより容易に組み立てることができる。
【００２５】
［態様９］
前記複数のポールのうちの前記複数の第１スリーブに挿通される複数の第１ポールは互いに長さが等しい、上記態様８に記載のテント。
【００２６】
本態様９のテントでは、長さが等しい複数の第１スリーブに挿通される複数の第１ポールの長さを等しくしている。それにより、どの第１スリーブに、どの第１ポールを挿通してもよいので、第１スリーブと第１ポールとを照合する手間が抑制される。よって、テントの設置に掛かる時間と手間を削減でき、テントをより容易に組み立てることができる。
【００２７】
［態様１０］
前記複数のポールの各々は、分解可能又は折り畳み可能である、上記態様１乃至９のいずれか一項に記載のテント。
【００２８】
本態様１０のテントでは、複数のポールの各々が、分解可能又は折り畳み可能である。それにより、ポールをスリーブに挿通させるとき、長いポールを挿通させる場合と比較して、設置のときに必要な領域を狭くでき、またスリーブの入口で次々につなげる／伸ばすことにより、より容易にポールをスリーブに挿通させることができる。よって、テントの設置に掛かる時間と手間を削減でき、テントをより容易に組み立てることができる。
【００２９】
以下、実施の形態に係るテント１について、図面を参照して説明する。ただし、本発明のテント１は、下記の実施の形態の構成に制限されることはなく、本発明の目的、趣旨を逸脱しない範囲内において、適宜組み合わせや代替、変更等が可能である。
【００３０】
まず、テント１の全体的な構成について説明する。
図１〜図６は、実施の形態に係るテント１の構成例を示す図である。ただし、図１はテント１の斜視図であり（（ａ）はフライシート９なし、（ｂ）はフライシート９あり）、図２はテント１の正面図であり、図３はテント１の平面図であり、図４はテント１の底面図であり、図５はテント１の内部の模式図である。図６はテント１の組み立て途中の状態を示す斜視図である。
【００３１】
テント１は、テントシート２と、複数のポール３と、複数のスリーブ４と、複数のテンション構造５と、別体のフライシート９と、を備えている。テント１は、テントシート２、複数のポール３及びフライシート９がテント１の下端に設けられた固定部材８、８’により設置面Ｇに固定されて使用される。ただし、設置面Ｇに設置されたテント１（テントシート２）において、設置面Ｇ、すなわちテント１の底部Ｂ（底面）に垂直な方向を上下方向とし、相対的にテント１の底部Ｂに近づく方向を下方又は下側とし、相対的にテント１の頂部Ｐに近づく方向を上方又は上側とする。テント１の表面に沿う方法を周面方向とし、設置面Ｇに平行な方向を平面方向とする。また、テント１を頂部Ｐ側から下方に向かって見ることを平面視という。別の実施の形態では、テンション構造５及びフライシート９の少なくとも一方を備えない。
【００３２】
テントシート２は、いわゆるインナーシートであり、テント１の居住空間を形成する部材である。テントシート２は、略球状の形状であって、半球よりも大きく、球よりも小さい形状を有している。言い換えると、テントシート２は、略球状の部材において、上側の半球部分をそのままにして、下側の半球部分のうちの下方側の部分が設置面Ｇと平行な平面で切断された形状を有している。別の言い方をすると、テントシート２は、立体角が２πステラジアンより大きく４πステラジアンより小さい第１立体角を有する球帽に近似する形状であって、立体角が０の位置を頂部とし、第１立体角の位置を底部とする形状を有している。なお、テントシート２の底面は、シート状の底部Ｂで覆われている。テントシート２は、その他、窓７や出入口Ｄやベンチレータ（図示せず）やポケット（図示せず）などを有している。
【００３３】
テントシート２の略球状の形状は、イコシドデカヘドロン（準正三十二面体又は十二・二十面体）の形状に基づいている。イコシドデカヘドロン（ＩＣＯＳＩＤＯＤＥＣＡＨＥＤＲＯＮ）は、正五角形を十二面、正三角形を二十面、それぞれ含んでいる。そして、テントシート２における略球状の形状は、正五角形を頂面及び底面として配置されたイコシドデカヘドロンにおいて、下側の半球部分における底面から所定の厚さの部分を、その底面に平行な仮想面で切断した形状を有している。ただし、仮想面は、正多角形の頂点同士を結んだ平面であり、例えば底面から全体の高さの約１／５程度の位置を通る面である。上側の半球部分には正五角形が六面、正三角形が十面それぞれ含まれており、下側の部分には部分的に切断された正五角形が五面、正三角形が五面それぞれ含まれている。イコシドデカヘドロンの形状に基づく形状であることは、球の形状に近いという点、したがって例えば体積に対する表面積の割合が小さくなる点で好ましい。また、イコシドデカヘドロンは、球の大円の部分としての測地線（ジオデシック・ライン）を辺とする多角形で形成されたジオデシック多面体であるということができる。なお、テントシート２の略球状の形状は、別の実施の形態では、アルキメデス立体又は準正多面体であり、更に別の実施の形態では、多面体の頂点が球に内接する球形多面体である。
【００３４】
テントシート２は、ドーム部１１と裾部１２とを含んでいる。
ドーム部１１は、テントシート２のうちのドーム型の形状を有する部分であり、すなわち略球状の部材における上側の半球部分である。ドーム部１１には、正五角形が六面、正三角形が十面それぞれ含まれている。以下では、ドーム部１１の下端縁で形成される、設置面Ｇに平行な面を赤道面Ｅともいう。赤道面Ｅはドーム部１１と裾部１２との境界面である。裾部１２は、テントシート２のうちのドーム部１１の下端縁から下方に延設された部分で、略球状の部材における下側の半球部分であり、その下方側の部分が設置面と平行な平面で切断された形状である。裾部１２には、部分的に切断された正五角形が五面、正三角形が五面それぞれ含まれる。ただし、これらのドーム部１１や裾部１２における各形状は、製造歩留りを考慮し、寸法の多少のずれ（例示：±５％）を許容するものである。
【００３５】
図４に示すように、裾部１２の下端縁で形成される図形である底部Ｂにおける設置面Ｇへの投影面積ＳＢは、ドーム部１１の下端縁で形成される図形である赤道面Ｅにおける設置面Ｇへの投影面積ＳＥよりも小さい。ＳＢは好ましくはＳＥの６０％以上９５％以下であり、より好ましくはＳＥの７０％以上８５％以下である。大き過ぎると裾部１２の効果（後述）が得られず、小さ過ぎると居住区間が狭くなる。したがって、テント１では、平面視で、裾部１２の外側の端縁がドーム部１１の外側の端縁よりも内側に位置しているということができる。なお、底部Ｂの形状は、本来は正五角形になるが、正五角形の五辺のうちの入口部分の一辺を除く四辺の中点を外側にずらすことで、九角形としている。それにより、底部Ｂを拡げることで平面方向の居住性を高めている。
【００３６】
また、図５に示すように、裾部１２の側面Ｗと設置面Ｇとが成す接触角αの範囲は、９０度より大きく１８０度より小さい。αは好ましくは９５度より大きく１３５度より小さく、より好ましくは９５度より大きく１２０度より小さい。小さ過ぎると裾部１２の効果（後述）が得られず、大き過ぎると居住区間が狭くなる。よって、テントシート２の下側の部分である裾部１２は下方、すなわち底部Ｂへ向かうに連れて窄まった形状を有する。すなわちテント１では、側面Ｗが、裾部１２においてテント１の底面（底部Ｂ）からドーム部１１との境界（赤道面Ｅ）に向かうに連れて外側に拡がり、ドーム部１１において裾部１２とドーム部１１との境界（赤道面）から天井（頂部Ｐ）に向かうに連れて内側に縮まる形状となる。したがってドーム部１１の下端で形成される底部Ｂの設置面Ｇへの投影図形は、裾部１２の下端で形成される赤道面Ｅの設置面Ｇへの投影図形を内側に含む。
【００３７】
複数のスリーブ４の各々は、ポール３が挿通されるための袖状又は筒状の部材で、ポール３が配置される位置に対応してテントシート２の表面に沿って配置（接合）される。一つのスリーブ４には一本のポール３が挿通される。よって、テントシート２の表面に投影したスリーブ４の配置は、テントシート２の表面に投影したポールの配置とほぼ重なる。
【００３８】
複数のスリーブ４は、複数の第１スリーブ４ａと、少なくとも一つの第２スリーブ４ｂとを含んでいる。第１スリーブ４ａは、ドーム部１１の中央領域に対して、ドーム部１１の一方側の下端部から、他方側の下端部まで、ドーム部１１の表面に沿うように、ドーム部１１の表面に配置（接合）されている。ドーム部１１の一方側の下端部は、例えば赤道面Ｅ上又は赤道面Ｅ近傍に位置し、他方側の下端部はその一方側の端部に対してドーム部１１の中央領域を挟んで反対側における赤道面Ｅ上又は赤道面Ｅ近傍に位置し、いずれもポール３を挿入可能な開口を有する。第１スリーブ４ａは赤道面Ｅに、０度より大きく１８０度より小さい角度で交差している。ただし、ドーム部１１の中央領域とは、ドーム部１１内部の赤道面Ｅの中央部とする。第２スリーブ４ｂは、第１スリーブ４ａ以外のスリーブ４である。第２スリーブ４ｂは、テント１の出入口Ｄ付近を除いて赤道面Ｅを囲むように、ドーム部１１の表面に沿うように、ドーム部１１の表面に配置（接合）されている。第２スリーブ４ｂは赤道面Ｅに平行に（赤道面Ｅに交差せずに）配置されている。
【００３９】
スリーブ４のうち、第１スリーブ４ａは、挿通の作業の途中でポール３が第１スリーブ４ａの外にはみ出さないよう、よって挿通されるポール３が連続的に覆われるように、連続的に形成されている。それにより、テント１を組み立てるとき、二次元的に展開されたテントシート２の第１スリーブ４ａの一方側の端部から他方側の端部まで、ポール３を一気に挿通できる。一方、スリーブ４のうち、第２スリーブ４ｂは、ポール３が所々露出するように、断続的に形成されている。それにより、テント１を組み立てるとき、複数の第１スリーブ４ａに挿通された複数の第１ポール３ａにより三次元の略球体形状に形成され、張り詰めた状態のテントシート２において、赤道面Ｅの第２スリーブ４ｂにポール３を挿通するとき、使用者が手で補助し易くするためである。別の実施の形態では、第１スリーブ４ａが断続的に形成されてもよく、第２スリーブ４ｂが連続的に形成されてもよい。
【００４０】
複数のポール３は、テントシート２を支持するための部材であり、複数のスリーブ４内に挿通されて使用される。複数のスリーブ４に挿通された複数のポール３が設置面Ｇに張られることで、複数のポール３は複数のスリーブ４を介してテントシート２を支持することができる。上記のように、一本のポール３が一つのスリーブ４に挿通される。なお、複数のポール３の各々は分解可能又は折り畳み可能に形成されている。
【００４１】
複数のポール３は、複数の第１ポール３ａと、少なくとも一本の第２ポール３ｂとを含んでいる。第１ポール３ａは、ドーム部１１に形成された第１スリーブ４ａに挿通される。第１ポール３ａのうちのドーム部１１側の部分は、第１スリーブ４ａに挿通されて、ドーム部１１の一方側の下端部から他方側の下端部まで、ドーム部１１の表面に沿うように配置されている。一方、第１ポール３ａのうちの裾部１２側の部分は、ドーム部１１の一方側及び他端側の各々の下端部から設置面Ｇまで、裾部１２の表面に沿って延びて設置面Ｇに達し、固定部材８により設置面Ｇに固定される。第１ポール３ａにおける裾部１２の表面に沿って延びる部分は、フック等により裾部１２の表面に結合される。第１ポール３ａは、ドーム部１１及び裾部１２の表面において、赤道面Ｅに、０度より大きく１８０度より小さい角度で交差している。第２ポール３ｂは、ドーム部１１の赤道面Ｅに沿って形成された第２スリーブ４ｂに挿通される。第２ポール３ｂは、第２スリーブ４ｂに挿通されて、テント１の出入口Ｄ付近を除いて、赤道面Ｅを囲み、ドーム部１１の表面に沿うように位置している。第２ポール３ｂは、ドーム部１１の表面において、赤道面Ｅと交差せず、平行である。
【００４２】
フライシート９については、テントシート２、複数のポール３、複数のスリーブ４及び複数のテンション構造５で形成される略球形の構造を覆うことが可能であれば特に制限はない。例えば、その略球形の構造が内接するように形成された略球形又は準正多角形などのシートが挙げられる。
【００４３】
テントシート２やフライシート９の材料としては、テントシートやフライシートとして使用可能であれば特に制限はないが、例えば、各種のナイロンやテトロンやポリエステルのような合成樹脂が挙げられる。ポール３の材料としては、ポールの材料として使用可能であれば特に制限はないが、例えば、カーボンファイバや繊維強化プラスチックのような複合材、ジュラルミン（アルミニウム合金）やスチールやステンレスのような金属などが挙げられる。スリーブ４の材料としては、スリーブとして使用可能であれば特に制限はないが、例えば、テントシートの材料と同様な材料を用いることができる。各材料については適宜表面加工等の加工がなされてもよい。
【００４４】
次に、本実施の形態におけるテント１の組み立て方法は、以下のような方法で行う。
（１）折り畳まれたテントシート２を設置面Ｇ上に展開する。このとき、ドーム部１１を上側に、裾部１２を下側にする。すなわち、ドーム部１１上の複数のスリーブ４が上側に露出し、裾部１２が概ね下側に隠れる。
（２）テントシート２の複数の第１スリーブ４ａに複数の第１ポール３ａを挿通する。このとき、一つの第１スリーブ４ａにつき一本の第１ポール３ａを入れ、第１スリーブ４ａを挟んでドーム部１１上の両側に第１ポール３ａの両端部がはみ出すようにする。この（２）工程の状態が図６である。
（３）複数の第１ポール３ａの両端部を保持しつつ、複数の第１ポール３ａを起立させるようにして、ドーム部１１を半球状にする。そして、複数の第１ポール３ａの両端部を裾部１２に取り付けられた複数のフック及び複数の固定部材８に取り付ける。
（４）第２スリーブ４ｂに第２ポール３ｂを相通する。必要に応じてフライシート９で全体を覆う。
以上のような方法で、テント１が組み立てられる。
【００４５】
本テントでは、ドーム型（半球状）のドーム部１１の下方に裾部１２を付加しているので、裾部１２の分だけテント１内の高さを高くできる。それにより、図５に示すように、使用者Ｍ１がテント１内で立ち上がることができるなど、テント１での高さ方向（底部Ｂと頂部Ｐとの間の方向）の居住空間を増加させることができる。また、そとのき、裾部１２の下端縁で形成される図形、すなわち底部Ｂの設置面Ｇへの投影面積ＳＢを、ドーム部１１の下端縁で形成される図形、すなわち赤道面Ｅの設置面Ｇへの投影面積ＳＥよりも小さくしている。それにより、ドーム部１１の設置面積（概ねＳＥに相当）以上にテント１の設置面積を拡げる必要が無く、すなわちドーム部だけのテント（従来のドーム型のテント）と同じ設置面積で済むので、設置場所の制限を抑制できる。すなわち、高さ方向の居住空間を増加させつつ、設置面積の増加を抑えることができる。例えば、直径が３ｍの場合、従来のドーム型のテントでは、天井高は約１．５ｍになるが、本テント１では、天井高は約２．１ｍになる。すなわち、天井高を約４割増しにすることができる。
更に、テント１では、平面視で、裾部１２がドーム部１１よりも内側に位置している。そのため、図６に示すように、テント１を組み立てるときに、テントシート２を拡げると、裾部１２はドーム部１１に入り込んで、すなわちドーム部１１にほぼ覆われて、下側に隠れることになる。このようなテント１の場合、もし仮にドーム部の表面だけでなく、裾部の表面にまでスリーブが連なっていると、テントを組み立てるときに、下側に隠れた裾部の第１スリーブにまでポールを通す必要があり、複数の第１スリーブに複数のポールを通すことが難くなる。そこで、テント１では、複数の第１スリーブ４ａが、裾部１２には形成されず、ドーム部１１の一方側の下端部から他方側の下端部まで、ドーム部１１の表面に沿うように配置されている。それゆえ、複数のポール３のうちの複数の第１ポール３ａを複数の第１スリーブ４ａに、一つの第１スリーブ４ａにつき一本の第１ポール３ａずつ挿通し易くすることができる。図６のテントシート２では、ドーム部１１上の複数の第１スリーブ４ａに、複数の第１ポール３ａが挿通された状態を示している。それにより、その後に、複数の第１ポール３ａの各々の両端部を起立させ、テントシート２を複数の第１ポール３ａで吊り下げるようにして、図１（ａ）に示すように、テント１を容易に組み立てることができる。すなわち、高さ方向の居住空間を増加させつつ、テント１を容易に組み立てることができる。なお、裾部１２では複数の第１ポール３ａがむき出しになるが、それら複数の第１ポール３ａをフックや着脱式のスリーブなどで、裾部１２に取り付けることが可能である。
このようにして、寝袋に入って寝るだけの従来のテントではなく、住宅の居室のような内部で立って活動もできる快適な空間を有する本テント１を得ることができる。そして、例えばオートキャンプを気軽に楽しむ一般的な家族でも、独創的な本テント１を簡単に組み立てることができる。それにより、高さ方向の居住空間を増加させつつ、設置面積の増加を抑えて、組み立てを容易にする、居住性、コンパクト性及び組み立て容易性に優れたテントを得ることができる。
【００４６】
本実施の形態において、好ましい態様として、図５に示すように、裾部１２の側面Ｗと設置面Ｇとが成す接触角αの範囲が９０度より大きく１８０度より小さい。このようなテント１では、テントシート２の下方側の部分、すなわち裾部１２は、下方へ向かうに連れて窄まった形状を有することになる。すなわち、テント１の内部では、側面Ｗが、裾部１２においてテント１の底面（底部Ｂ）からドーム部１１との境界（赤道面Ｅ）に向かうに連れて外側に拡がり、ドーム部１１において裾部１２とドーム部１１との境界（赤道面Ｅ）から天井（頂部Ｐ）に向かうに連れて内側に窄まる形状となる。そのため、テント１の内部で使用者Ｍ２がテント１の側面Ｗの近くに着座したときでも、ドーム部だけのテント（従来のドーム型のテント）と比較して、使用者Ｍ２が頭部を圧迫されることを抑制できる。それにより、使用者Ｍ２が着座した状態での平面方向の居住空間を増加することができる。すなわち、平面方向の居住空間を増加させて、居住性を高めることができる。
【００４７】
図７は実施の形態に係るテントシート２の構成例を示す正面図である。
テントシート２は、複数のシート部材２１から構成されている。テントシート２の略球状の形状は準正三十時面体に基づくので、複数のシート部材２１の形状は、多角形（正五角形及び正三角形）の形状を有している。隣り合うシート部材２１同士は辺及び頂点を共有するように接合部（図示されず）により互いに接合されている。接合の方法としては縫合や接着や融着などの方法が挙げられる。隣り合うシート部材２１同士の接合部は、隣り合うシート部材２１同士の境界線２２を形成している。複数の境界線２２は、ドーム部１１の中央領域に対して一方側の下端部から、他方側の下端部まで、周面方向に沿って連鎖して、連鎖境界線２３を形成している。ただし、連鎖するとは、境界線の一端部が次の境界線の一端部に接続し、次の境界線の他端部が更に次の境界線の一端部に接続し、というように複数の境界線が直列に並んで端部同士を接合する状態をいう。そして、複数のスリーブ４は、複数の連鎖境界線２３に沿って配置されている。別の実施の形態ではシート部材２１の形状は少なくとも一部は多角形以外の形状であり、更に別の実施の形態ではテントシート２は複数のシート部材２１から構成されず、一枚のシート部材から構成される。
【００４８】
具体的には、複数のシート部材２１は、正五角形の形状を有するシート部材２１ａと、正三角形の形状を有するシート部材２１ｂとを含んでいる。ドーム部１１には、正五角形のシート部材２１ａが六面存在し、正三角形のシート部材２１ｂが十面存在する。また、裾部１２には、部分的に切断された正五角形のシート部材２１ａ’が五面存在し、正三角形のシート部材２１ｂが五面存在する。このうち、赤道面Ｅと交差して又は赤道面Ｅから離れて延びる境界線２２である複数の第１境界線２２ａが連鎖して、第１連鎖境界線２３ａが構成される。一方、赤道面Ｅに沿って延びる境界線２２である複数の第２境界線２２ｂが連鎖して、第２連鎖境界線２３ｂが構成される。
このとき、テントシート２の略球状の形状は準正三十時面体に基づくので、連鎖境界線２３、すなわち第１連鎖境界線２３ａ及び第２連鎖境界線２３ｂは、イコシドデカヘドロンの大円の部分であり、測地線（曲面上の最短距離の線）に相当している。
【００４９】
ただし、複数のシート部材２１の形状とは、シート部材２１における接合部、すなわち境界線で形作られる（又は縁取られる）形状をいう。したがって、例えばシート部材２１の形状が多角形であるとは、境界線（接合部）で形作られる（又は縁取られる）シート部材２１の形状が多角形であることをいう。また、複数のシート部材２１が多角形の形状を有するという場合、必ずしも厳密な多角形でなくてもよく、実質的に多角形であればよい。実質的に多角形とは、例えば、テントシート２を球体の形状に近づけるように、各シート部材２１の多角形の各辺が、外側に緩やかに凸となるように膨らんだ多角形を含み、したがって内角の和が１８０度以上になる多角形を含む。本実施の形態の場合、テントシート２がイコシドデカヘドロン（準正三十時面体）に基づく形状を有しているが、より球体に近い形状となる。また、シート部材２１には、製造歩留りを考慮して、寸法の多少のずれ（例示：±５％）を含んでもよい。
【００５０】
図８は実施の形態に係るスリーブ４の構成例を示す正面図である。この図は、図７のテントシート２に複数のスリーブ４及び複数のポール３を付け加えた構成を示しており、すなわち、図２においてテンション構造５を除いた構成を示している。
複数のスリーブ４の各々は、複数の境界線２２、すなわち連鎖境界線２３に沿って配置されている。各連鎖境界線２３は、イコシドデカヘドロンの大円の部分であり、測地線に相当する。したがって、複数のスリーブ４及び複数のポール３は、テントシート２の大円の部分、又は、測地線に沿って配置されている、ということができる。
【００５１】
ここで、複数の第１スリーブ４ａに挿通される複数の第１ポール３ａは、複数の第１連鎖境界線２３ａに沿って配置される。複数の第１連鎖境界線２３ａは、互いに長さの等しい測地線に沿って形成されているから、互いに長さが等しい。一方、第２スリーブ４ｂに挿通される第２ポール３ｂは、第２連鎖境界線２３ｂに沿って配置される。第２連鎖境界線２３ｂは、赤道面Ｅの測地線に沿って形成されているが、その測地線は第１連鎖境界線２３ａが沿う測地線よりも長いから、第２連鎖境界線２３ｂは、第１連鎖境界線２３ａよりも長くなる。
【００５２】
本実施の形態において、好ましい態様として、テント１では、テントシート２が複数のシート部材２１から構成され、複数の、隣り合うシート部材２１同士の境界線２２が、ドーム部１１の一方側の下端部から他方側の下端部まで連鎖する連鎖境界線２３を形成しており、その連鎖境界線２３に沿って第１スリーブ４ａ（及び第１ポール３ａ）が配置されている。そのため、第１スリーブ４ａがシート部材２１を横切らない、すなわちシート部材２１の内側に第１スリーブ４ａとの結合箇所を有さない。例えば、正五角形のシート部材２１ａを分割するように第１スリーブ４ａがシート部材２１を横切らない。そのため組み立てる前の段階でも、シート部材２１の形状、例えば正五角形及び正三角形を容易に把握することができる。それにより、テント１を組み立てるときに、テントシート２を適切に展開でき、第１スリーブ４ａにおける第１ポール３ａ挿入用の開口を的確に把握できるので、テント１を容易に組み立てることが可能となる。
【００５３】
また、本実施の形態における好ましい態様として、テント１では、シート部材２１は多角形、例えば正五角形や正三角形の形状を有している。そのため、複数の、隣り合うシート部材２１同士の境界線２２が連鎖境界線２３を形成できるように、複数のシート部材２１を容易に形成・配置することができる。それにより、テント１を組み立てるときに、テントシート２をより適切に展開でき、スリーブ４におけるポール３挿入用の開口をより的確に把握できるので、テントをより容易に組み立てることが可能となる。
【００５４】
また、本実施の形態における好ましい態様として、テント１では、テントシート２（ドーム部１１＋裾部１２）がイコシドデカヘドロンの形状（ただし、下方の部分が一部除かれた形状、以下同じ。）を有している。別の実施の形態では、テント１では、テントシート２が多面体、中でも多面体を構成する多角形の頂点が球に内接する（外接球を有する）球形多面体の形状を有していてもよいし、半正多面体の形状を有していてもよいし、アルキメデス立体又は準正多面体の形状を有していてもよい。これらの場合にも、テントシート２が球形に近いため、高さ方向及び平面方向での居住性を高めることができる。また、テントシート２が球形に近いため、テントシート２内の容積に対するテントシート２の表面を沿うスリーブ４及びポール３の長さを相対的に小さくできる。それにより、ポール３をスリーブ４に容易に挿通させることができるので、テント１をより容易に組み立てることができる。更に別の実施の形態では、テント１では、テントシート２が球の太円の部分としての測地線（ジオデシック・ライン）を辺とする多角形で形成されたジオデシック多面体でもよい。この場合、上記各多面体の奏する効果に加えて、スリーブ４及びポール３の長さを最短の長さにできるので、ポール３をスリーブ４に容易に挿通させることができ、テント１をより容易に組み立てることができる。なお、テントシート２は、厳密な意味で、これら球形多面体やアルキメデス立体（半正多面体、準正多面体、準正三十二面体（イコシドデカヘドロンを含む））の形状を有する必要はなく、略球形多面体や略アルキメデス立体の形状、すなわち実質的に球形多面体やアルキメデス立体その形状を有すればよい。実質的にそれらの形状を有する、とは、各辺が丸みを帯びて曲線になっていたり、各面が丸みを帯びて曲面になっていたりするなどの変形を有する形状を含む趣旨である。
【００５５】
また、本実施の形態における好ましい態様として、テント１では、複数のスリーブ４がテントシート２の測地線に沿って配置されている。それにより、複数のスリーブ４、延いては複数のポール３の長さを最短の長さにすることができ、ポール３をスリーブ４により容易に挿通させることができる。したがって、テント１の設置に掛かる時間と手間を削減でき、テント１をより容易に組み立てることが可能となる。
【００５６】
また、本実施の形態における好ましい態様として、テント１では、長さが等しい複数の第１スリーブ４ａに挿通される複数の第１ポール３ａの長さを等しくしている。それにより、どの第１スリーブ４ａに、どの第１ポール３ａを挿通してもよいので、第１スリーブ４ａと第１ポール３ａとを照合する手間が抑制される。したがって、テント１の設置に掛かる時間と手間を削減でき、テント１をより容易に組み立てることが可能となる。
【００５７】
次に、テンション構造５について説明する。本実施の形態では、好ましい態様として、テント１が複数のテンション構造５を備えている。図９〜図１１は実施の形態に係るテンション構造５の構成例を示す図である。ただし、図９は、テント１のテンション構造５の構成例を示す斜視図であり、図１０はテンション構造５の構成例を示す模式図であり、図１１はテンション構造５の作用を示す模式図である。
【００５８】
テントシート２は、図９や図２〜図３に示すように、テントシート２内に区画された複数の第１領域Ｒを有する。複数の第１領域Ｒの各々は、テントシート２では、複数のポール３のうちのいくつかのポール３である複数の区画ポール３ｐにより区画され、内部に他のポール３を含まない領域である。すなわち、複数の区画ポール３ｐが挿通される、複数の区画スリーブ４ｐにより区画され、内部に他のスリーブ４を含まない領域でもある。第１領域Ｒは、シート部材２１の（イコシドデカヘドロンの）正五角形の領域に相当する。
【００５９】
テント１は、第１領域Ｒ内に、テンション構造５を備えている。テンション構造５は、第１領域Ｒに生じる荷重を周囲の構成、例えば区画ポール３ｐなどに分散することにより、テント１の耐荷重を向上させる。テンション構造５は、第１領域Ｒを、複数のテンション領域Ａに区分する。したがって、テンション構造５は、第１領域Ｒに生じる荷重を複数のテンション領域Ａに分散して、複数のテンション領域Ａから周囲の構成、例えば複数のテンション領域Ａに接する区画ポール３ｐなどに更に分散することにより、テント１の耐荷重を向上させる、ということもできる。なお、頂部Ｐの第１領域Ｒではテントシート２の内部にテンション構造５を備えている。頂部Ｐのテンション構造５は、テントシート２の内部において、内側から外側に向かって頂部Ｐを突き上げている。この場合、支持部材５１はテントシート２の内部に位置する。別の実施形態では、支持部材５１が頂部Ｐのテントシート２を貫通して外部に延びてもよい。頂部Ｐのテンション構造５は、テントシート２の外部にあってもよい。
【００６０】
テンション構造５は、複数の線状部材５２と、支持部材５１と、を備えている。
複数の線状部材５２の各々は、一端部を少なくとも一本の区画ポール３ｐに結合され、他端部を支持部材５１に結合された、ワイヤーや紐のような線状の部材である。区画ポール３ｐにおける線状部材５２が結合される位置は、シート部材２１の正五角形の頂点の位置に相当する、二本の区画ポール３ｐが交差している位置である。別の実施の形態では、区画ポール３ｐにおける線状部材５２が結合される位置は、正五角形の各辺の途中（例示：中心）の位置である。支持部材５１は、第１領域Ｒ内に位置し、例えば第１領域Ｒ内のテントシート２の表面上に位置しており、テントシート２の表面に対して所定の高さ（厚さ）を有する部材である。支持部材５１は、好ましくは複数の線状部材５２に掛かる力がバランスする釣り合いの位置に配置される。支持部材５１は、好ましくは第１領域Ｒの正多角形の重心に配置される。このとき、支持部材５１はテントシート２の表面に接合されずに載置されており、複数の線状部材５２によりその釣り合いの位置に支持（保持）される。別の実施の形態では、支持部材５１は、第１領域Ｒの正多角形の重心に配置されず、更に別の実施の形態では、支持部材５１はテントシート２の表面に接合される。ただし、結合とは、部材同士が直接的に接触した状態で結合（接合）する場合だけでなく、リング部材などの他の部材を介して間接的に結合する場合を含む。この場合では、線状部材５２は、リング部材５３を介して、一端部を区画ポール３ｐに結合されている。すなわち、線状部材５２は、環の中を区画ポール３ｐが貫通した状態のリング部材５３に接合される。
【００６１】
複数の区画ポール３ｐで囲まれた第１領域Ｒは、テンション構造５の複数の線状部材５２により、複数のテンション領域Ａに区分される。テンション領域Ａは、支持部材５１に他端部を接合された互いに隣り合う二本の線状部材５２と、一本の区画ポール３ｐにより囲まれた三角形の領域と見ることができる。このような三角形の領域では、三角形の頂点である支持部材５１に力が加わっても左右の辺である二本の線状部材５２に力を分散させることができる。分散された力は、区画ポール３ｐによって受け止められる。
【００６２】
例えば、正五角形の第１領域Ｒは、図１０に示すように、五つの三角形のテンション領域Ａ１１〜Ａ１５に区分されている。すなわち、五つのテンション領域Ａ１１〜Ａ１５は、いずれも支持部材５１に他端部を接合された互いに隣り合う二本の線状部材５２と、一本の区画ポール３ｐにより囲まれた三角形の領域である。したがって、三角形の頂点である支持部材５１に荷重Ｋ１０が加わっても、その荷重Ｋ１０を五つの三角形の左右の辺である五本の線状部材５２に分散させて、それぞれ荷重Ｋ１１〜Ｋ１５とすることができる。分散された荷重Ｋ１１〜Ｋ１５は、それぞれ複数の区画ポール３ｐによって受け止められる。別の実施の形態では、区画ポール３ｐにおける線状部材５２が結合される位置が正五角形の各辺の途中（例示：中心）の位置の場合、テンション領は互いに隣り合う二本の線状部材５２と互いに隣り合う二本の区画ポール３ｐ（部分）による四角形である。
【００６３】
ただし、支持部材５１に加わる荷重Ｋ１０としては、例えば、支持部材５１に直接加わる荷重や、第１領域Ｒのテントシート２に加わった荷重がテントシート２を変形させることでテントシート２に伝達され、そのテントシート２の変形により支持部材５１が押されるなどして支持部材５１に伝達された荷重や、隣接する第１領域Ｒの荷重が線状部材５２経由で支持部材５１に伝達された荷重、などが挙げられる。また、頂部Ｐのテンション構造５では、各線状部材５２は、テントシート２の内側に延びる保持部材（図示せず）を介して外側のスリーブ４に結合している。頂部Ｐのテンション構造５は、強度の向上だけでなく、頂部Ｐを上方へ突き上げることで、頂部の頂部Ｐに水等が溜まるのを防止する。
【００６４】
テント１では、図１１に示すように、複数の線状部材５２の各々は、第１線状部材５２１１と、第２線状部材５２１２とを含んでいる。第１線状部材５２１１は、一端部を区画ポール３ｐの所定箇所に結合され、他端部を支持部材５１におけるテントシート２に接する一端部に結合されている。第２線状部材５２１２は、一端部を区画ポール３ｐの所定箇所（第１線状部材５２１と同一箇所）に結合され、他端部を支持部材５１におけるテントシート２に接しない他端部（一端部と反対側の他端部）に結合されている。すなわち、支持部材５１と二本の第１線状部材５２１１及び第２線状部材５２１２とにより、別の三角形のテンション領域Ａ２１が形成されている。したがって、その三角形のいずれかの頂点に荷重が加わっても、その荷重をその頂点の左右の辺に分散できる。更に、隣接する別の線状部材５２においても、例えば支持部材５１と二本の第１線状部材５２２１及び第２線状部材５２２２とにより、別の三角形のテンション領域Ａ２２が形成されている。それにより、例えば支持部材５１に下向きに加わった荷重Ｋ２０を、第１線状部材５２１１と第１線状部材５２２１とに分散して、荷重Ｋ２１と荷重Ｋ２２とすることができる。同様に、例えば支持部材５１に上向きに加わった荷重Ｋ２０を、第１線状部材５２１１と第１線状部材５２２１とに分散することができる。なお別の実施の形態では、複数の線状部材５２の各々は、構造や組み立ての容易性の観点から、第２線状部材５２１２（、５２２２）及び第１線状部材５２１１（、５２２１）のいずれか一方を含まない。
【００６５】
線状部材５２の材料としては、所定の強度を有していれば特に制限はなく、例えば金属、無機材料、合成樹脂（繊維）、天然繊維などが挙げられる。また、支持部材５１の形状は、所定の高さ（厚さ）を有すれば特に制限はなく、例えば棒状の部材、球状又は楕円体上の部材などが挙げられる。支持部材５１が球状又は楕円体の場合、線状部材５２をより安定的に支持できる。支持部材５１の材料としては、所定の強度を有していれば特に制限はなく、例えば金属、無機材料、合成樹脂、天然樹脂などが挙げられる。
【００６６】
本実施の形態において、好ましい態様として、テント１では、第１領域Ｒと、テンション領域Ａとを備え、支持部材５１は、第１領域Ｒ内に位置している。そのため、テントシート２の第１領域Ｒに風などの荷重がかかったとき、その荷重を、第１領域Ｒのテントシート２だけでなく、テンション構造５（線状部材５２及び支持部材５１）及びそれに連なる複数の区画ポール３ｐにより受け止めることができる。
すなわち、図１０に示すように、第１領域Ｒの表面に略平行な面で見ると、第１領域Ｒへの荷重Ｋ１０は、支持部材５１を介して複数の線状部材５２へ分散されつつ（荷重Ｋ１１〜Ｋ１５）伝達され、更に複数の線状部材５２から複数の区画ポール３ｐへ分散されつつ伝達される。よって、テント１は、第１領域Ｒへの荷重Ｋ１０を、第１領域Ｒのテントシート２だけでなく、複数の線状部材５２及び複数の区画ポール３ｐに分散して受け止めることができる。すなわち、引っ張り（例示：線状部材５２）と圧縮（例示：区画ポール３ｐ）とをバランスよく統合して、荷重Ｋ１０をバランスよく分散させることができる。その結果、テント１は、第１領域Ｒへの荷重を第１領域Ｒのテントシート２だけで受け止める場合と比較して、より強い荷重を受け止めることができる。すなわち、テント１は、第１領域Ｒへの荷重に対する強度を向上させることができ、延いてはテント１全体としての強度を向上させることができる。特に、支持部材５１が複数の線状部材５２に掛かる力がバランスする釣り合いの位置に配置されている場合、荷重Ｋ１０をさらにバランスよく分散させることができる。
この場合、強度を向上させる方法として、テンション構造５、すなわち線状部材５２と、その線状部材５２を支持する支持部材５１しか用いておらず、ポール３の数を増加させていない。したがって、テント１の全体としての重量の増加が抑制されており、少人数で運搬することが困難になるおそれはない。また、テンション構造５は極めて簡単な構造なので、少人数・短時間でテントを組み立てることが困難になるおそれはない。例えば、予めテンション構造５をテントシート２に取り付けておいてもよい。例えば、テンション構造５のうち、複数の線状部材５２の一端部のみを区画ポール３ｐ用のスリーブ４に取り付けておけばよい。
このようにして、風に対する強度を高めつつ、重量の増加を抑えて、組み立てを容易にする、強度、軽量性及び組み立て容易性に優れたテント１を得ることができる。
【００６７】
本実施の形態において、好ましい態様として、テント１では、図１１に示すように、複数の線状部材５２の各々は、第１線状部材５２１１と、第２線状部材５２１２とを含んでいる。すなわち、第１領域Ｒの表面に略垂直な面で見ると、第１領域Ｒへの荷重を、複数の第１線状部材５２１１及び複数の第２線状部材５２１２の両方に分散して伝達でき、更に複数の区画ポール３ｐへ分散して伝達できる。したがって、テント１は、第１領域Ｒへの荷重を、複数の二種類の経路（第１線状部材５２１１−区画ポール３ｐ、第２線状部材５２１２−区画ポール３ｐ）に分散して受け止めることができる。その結果、テント１は、荷重をより確実に分散し伝達できる。
更に、隣接する別の線状部材５２においても、例えば支持部材５１と二本の第１線状部材５２２１及び第２線状部材５２２２とにより、別の三角形のテンション領域Ａ２２が形成されている。したがって、例えば支持部材５１に下向きに加わった荷重Ｋ２０を、第１線状部材５２１１の荷重Ｋ２１と第１線状部材５２１の荷重Ｋ２２とに分散して伝達でき、更に複数の区画ポール３ｐへ分散して伝達できる。したがって、テント１は、第１領域Ｒへの荷重を、複数の二種類の経路（第１線状部材５２１１−区画ポール３ｐ、第１線状部材５２２１−区画ポール３ｐ）に分散して受け止めることができる。その結果、テント１は、荷重をより確実に分散し伝達できる。支持部材５１に上向きに荷重が加わった場合も同様である。このように、テント１は、第１領域Ｒへの荷重に対する強度をより向上することができ、延いてはテント１全体としての強度をより向上させることができる。なお、このとき追加される部材は第１線状部材５２１１、５２２１だけなので、テント１の重量の増加はわずかであり、テンション構造５もほとんど変更はない。このようにして、強度、軽量性及び組み立て容易性により優れたテントを得ることができる。
【００６８】
本実施の形態において、好ましい態様として、テント１では、図９に示すように、一本の線状部材５２の（リング部材５３を介した）結合先が二本の区画ポール３ｐが交差する位置である。そのため、線状部材５２から伝達された荷重を二本の区画ポール３ｐに分散して伝達することができ、すなわち区画ポール３ｐの一本当たりに分散される荷重を例えば約半分程度に減少できる。したがって、線状部材５２に分散できる荷重を増加することができ、それにより、第１領域Ｒへの荷重に対する強度をより向上することができ、延いてはテント１全体としての強度をより向上させることができる。なお、このとき追加される部材は実質的にないので、テント１の重量の増加は実質的になく、テンション構造５も線状部材５２の取付位置以外にはほとんど変更はない。
【００６９】
また、本実施の形態において、好ましい態様として、テント１では、図１０に示すように、第１領域Ｒは、互いに隣り合う二本の線状部材５２と区画ポール３ｐとで構成される三角形の複数のテンション領域Ａ１１〜Ａ１５により区分されている。このように第１領域Ｒを三角形の複数のテンション領域Ａ１１〜Ａ１５で区分することで、第１領域Ｒへの荷重１０を少なくとも第１領域Ｒの二本の線状部材５２に効率的に分散でき、更に区画ポール３ｐに効率的に分散することができる。したがって、テント１は、第１領域Ｒを複数の三角形で区分しない場合と比較して、より強い荷重を受け止めることができる。すなわち、本テントは、第１領域への荷重に対する強度をより向上することができ、延いてはテント全体としての強度を更により向上させることができる。なお、このとき追加される部材は実質的にないので、テント１の重量の増加は実質的になく、テンション構造５も線状部材５２の取付位置以外にはほとんど変更はない。
【００７０】
本実施の形態において、好ましい態様として、テント１では、支持部材５１は、第１領域Ｒの形状である、正多角形の重心に配置される。このように、支持部材５１がその正多角形の重心に配置されると、第１領域Ｒのテンション構造５における各線状部材５２を、重心に配置された支持部材５１からバランスよく正多角形の各頂点へ配置できる。例えば、図１０に示すように、第１領域Ｒは、シート部材２１の（イコシドデカヘドロンの）正五角形の領域に相当しており、支持部材５１がその正五角形の重心に配置されると、第１領域Ｒのテンション構造５における各線状部材５２を、重心に配置された支持部材５１からバランスよく正五角形の各頂点へ向けて配置することができる。それにより、第１領域Ｒへの荷重Ｋ１０を、支持部材５１から各線状部材５２へバランスよく分散することができ、更に分散された荷重Ｋ１１〜Ｋ１５を正五角形（正多角形）の各頂点において各線状部材５２から各区画ポール３ｐへバランスよく分散することができる。したがって、テント１は、多角形が正五角形（正多角形）ではない場合と比較して、支持部材５１が傾いてしまうなど不安定になることなく、安定してより強い荷重を受け止めることができる。すなわち、テント１は第１領域Ｒへの荷重に対してより安定的に強度を向上できる。
【００７１】
本実施の形態において、好ましい態様として、図９に示すように、テントシート２には少なくとも互いに隣り合う第１領域Ｒ及び第１領域Ｒが区画されている。ただし、互いに隣り合うという場合、図９に示すように頂点を介して隣り合っていてもよいし、テントシート２の多面体の形状によっては共有する辺を介して隣り合っていてもよい。その互いに隣り合う第１領域Ｒ及び第１領域Ｒのうちの一方におけるテンション構造５における線状部材５２と、他方におけるテンション構造５における線状部材５２とは、互いに隣り合う第１領域Ｒ、Ｒに共通の区画ポール３ｐ、３ｐを介して、互いに結合されている。
そのため、一方の第１領域Ｒへの荷重は、まず、その一方の第１領域Ｒ内において、支持部材５１及び複数の線状部材５２を介して複数の区画ポール３ｐ（共通の区画ポール３ｐを含む）へ分散されつつ伝達される。続いて、共通の区画ポール３ｐに伝達された荷重は、他方の第１領域Ｒにおいて、その共通の区画ポール３ｐに結合する線状部材５２に伝達され、更に支持部材５１を介して他の線状部材５２及び他方の第１領域Ｒのテントシート２へ分散されて伝達される。次いで、他の線状部材５２に伝達された荷重は、他の線状部材５２を介して他方の第１領域Ｒの他の区画ポール３ｐへ分散されつつ伝達される。このように、テント１は、第１領域Ｒへの荷重を、その第１領域Ｒのテントシート２やその第１領域Ｒ内の複数の区画ポール３ｐ及びテンション構造５だけでなく、その第１領域Ｒに隣接する他の第１領域Ｒのテントシート２や他の第１領域Ｒ内の複数の線状部材５２及び複数の区画ポール３ｐにも分散して受け止めることになる。その結果、テント１は、第１領域Ｒへの荷重を一つの第１領域Ｒ内の構成だけで受け止める場合と比較して、更により強い荷重を受け止めることができる。すなわち、テントは、第１領域Ｒへの荷重に対する強度を更により向上でき、延いてはテント１全体としての強度を更により向上できる。
【００７２】
更に、本実施の形態において、好ましい態様として、図３に示すように、テントシート２には互いに隣り合う第１領域Ｒ、Ｒを含む複数の前記第１領域Ｒが区画されている。そして、テントシート２は、上方から見て閉鎖形状（略環状に連続する曲面）を形成する曲面（例示：筒や柱における筒や柱を一周する側面、球体における少なくとも帯状の表面（球帽、球帯））であって、この場合にはドーム部１１の表面を有している。そのとき、複数の第１領域Ｒは、頂点又は辺が互いに接するように（ただし、図３の場合には頂点が接するように）、閉鎖形状の曲面（ドーム部１１の表面）に沿って連続的に配置されている。すなわち、正五角形の複数の第１領域Ｒは、頂点が互いに接するように、ドーム部１１の表面に沿って連続的に五つ並んでいる。すなわち、隣り合う第１領域Ｒ同士が頂点又は辺が互いに接するように区画ポール３ｐを共用しながら、複数の第１領域Ｒがテントシート２のドーム部１１の側面に並んで一周している。そのため、テント１は、いずれかの第１領域Ｒへの荷重を、その第１領域Ｒのテントシート２やその第１領域Ｒ内の複数の区画ポール３ｐ及びテンション構造５だけでなく、その第１領域Ｒの両側に隣接する他の第１領域Ｒのテントシート２や他の第１領域Ｒ内の複数の線状部材５２及び複数の区画ポール３ｐに分散して受け止めることができる。更に、その第１領域Ｒの両側に隣接する他の第１領域Ｒが受け止める荷重を、更に隣接する更に他の第１領域Ｒのテントシート２や更に他の第１領域Ｒ内の複数の線状部材５２及び複数の区画ポール３ｐに分散して受け止めることができる。このようにして、いずれかの第１領域Ｒへの荷重を、閉鎖形状を形成する曲面（ドーム部１１の表面）のテントシート２に沿って並んだ複数の第１領域Ｒ全体で受け止めることになる。その結果、テント１は、第１領域Ｒへの荷重を一つの第１領域Ｒ内の構成だけで受け止める場合と比較して、更により強い荷重を受け止めることができる。すなわち、テント１は、第１領域Ｒへの荷重に対する強度を更により向上することができ、延いてはテント１全体としての強度を更により向上させることができる。
【００７３】
次に、案内手段について説明する。本実施の形態では、好ましい形態として、テント１が複数の案内手段を備えている。図１２は実施の形態に係る案内手段４１の構成例を示す斜視図である。ただし、この図において、テンション構造５の記載を省略している。テント１では、複数のポール３の各々は、他の複数のポール３と、テントシート２上の複数の箇所で交差している。ここで、それら複数の箇所又はそれらの周辺において、一本のポールが他の複数のポール３の各々の上側を交差するか下側を交差するかによって、テント１における風等に対する強度が変化する。そこで、本実施の形態において、好ましい態様として、テント１の複数のスリーブ４の各々では、それら複数の箇所又はそれらの周辺において、ポール３及び／又は他のポール３の交差をガイドする複数の案内手段４１を備えている。具体的には、案内手段４１は、所定のポール３が他のポール３の上側を通過すべきときには、所定のポール３が上側を通り、他のポール３が下側を通るように両ポール３をガイドする。一方、案内手段４１は、所定のポール３が他のポール３の下側を通過すべきときには、所定のポール３が下側を通り、他のポール３が上側を通るように両ポール３をガイドする。このように、テント１は、複数のスリーブ４の各々に複数の案内手段４１を設けることで、複数のポール３を設計通りに交差させて、設計通りの強度を発揮することができ、安全性を確保することができる。
【００７４】
そして、更に、本実施の形態において、好ましい態様として、複数の案内手段４１を用いることにより、どのポール３を取っても、そのポール３が他のポール３よりもテントシート２に近い側（他のポール３の下側）を通るように交差する場合と、遠い側（更に他のポール３の上側）を通るように交差する場合とが交互に並ぶように、案内手段４１は複数のポール３をガイドしている。
【００７５】
このように、テント１では、複数のスリーブ４の各々がポール３をガイドする案内手段４１を備えることより、使用者がテント１を組み立てるとき、スリーブ４にポール３を挿通させるだけで、案内手段４１により、そのポール３と他の複数のポール３とを所望の位置関係に容易に配置することができる。特に、そのポール３が他の複数のポール３の各々よりもテントシート２に近い側で交差する場合と遠い側で交差する場合とが交互に並ぶように、そのポール３を設置できる。それにより、複数のポール３を強度が高い、状態設計通りの配置で設置することができる。これらにより強度の維持及び安全性の確保と、組み立て易さとをいずれも満足できる。
【００７６】
本実施の形態において、好ましい態様として、複数の交差用スリーブ４ｑは、テントシート２に連続的に形成された複数のスリーブ４に含まれている。そのため、ポール３をスリーブ４に挿通したとき、途中でスリーブ４から飛び出すことなく、テントシート２にポール３を確実に適切に設置できるとともに、複数のポール３を強度が高い配置で設置できる。強度の維持及び安全性の確保と、組み立て易さとをいずれも満足できる。
【００７７】
本実施の形態において、好ましい態様として、第１領域Ｒを形成する複数の第１スリーブ４ａの案内手段４１は、多角形の頂点に配置されている。多角形の頂点に案内手段４１が配置されていることで、第１ポール３ａを複数の多角形の辺（連鎖境界線２３）に沿って延在するように第１スリーブ４ａに挿通することができる。したがって、テント１を組み立てるとき、第１ポール３ａを第１スリーブ４ａにより容易に挿通させることができるので、テントを容易に組み立てることが可能となる。
【００７８】
図１２に示すように、案内手段４１のうちの案内手段４１Ｕ１は、互いに交差する二本のポールに３−１、３−２に対応した、互いに交差する二つの交差用スリーブ４ｑ−１、４ｑ−２で形成されている。案内手段４１のうちの案内手段４１Ｄ１では、互いに交差する二本のポール３−１、３−３に対応した、互いに交差する二つの交差用スリーブ４ｑ−１、４ｑ−３で形成されている。
【００７９】
案内手段４１Ｕ１では、互いに交差する二本のポール３のうちの一方のポール３−１は、互いに交差する二つの交差用スリーブ４ｑのうちの一方である、上側を通る交差用スリーブ４ｑ−１に挿通され、互いに交差する二本のポール３のうちの他方のポール３−２は、互いに交差する二つの交差用スリーブ４ｑのうちの他方である、下側を通る交差用スリーブ４ｑ−２に挿通されている。一方、案内手段４１Ｄ１では、互いに交差する二本のポール３のうちの一方であるポール３−１は、互いに交差する二つの交差用スリーブ４ｑのうちの一方である、下側を通る交差用スリーブ４ｑ−１に挿通され、互いに交差する二本のポール３のうちの他方のポール３−２は、互いに交差する二つの交差用スリーブ４ｑのうちの他方である、上側を通る交差用スリーブ４ｑ−２に挿通されている。したがって、案内手段４１Ｕ１及び案内手段４１Ｄ１は、ポール３−１が他のポール３−２よりもテントシート２から遠い側を通るように交差する場合と、ポール３−１が他のポール３−３よりもテントシート２に近い側を通るように交差する場合とが交互に並ぶように、ポール３−１をガイドしている。
【００８０】
このようなテント１では、案内手段４１Ｕ１及び４１Ｄ１により、互いに交差する二本のポール３−１、３−２及び３−１、３−３の各々を、テントシート２に近い側及び遠い側のうちの所望の側に設置して、確実に互いに交差させることができる。それにより、複数のポール３を平織りのように配置でき、テント１の強度の維持及び安全性の確保と、組み立て易さとをいずれも満足できる。
【００８１】
図１３は実施の形態に係る案内手段４１の他の構成例を示す斜視図である。ただし、この図において、テンション構造５の記載を省略している。案内手段４１のうちの案内手段４１Ｕ２は、互いに交差する二本のポール３−１、３−２のうちの一方であるポール３−２に対応した交差用スリーブ４ｑ−２で形成されている。案内手段４１のうちの案内手段４１Ｄ２は、互いに交差する二本のポール３−１、３−３のうちの一方であるポール３−１に対応した交差用スリーブ４ｑ−１で形成されている。
【００８２】
案内手段４１Ｕ２では、互いに交差する二本のポール３のうちの一方のポール３−２は、ポール３−１の下側を通る交差用スリーブ４ｑ−２に挿通され、互いに交差する二本のポール３のうちの他方のポール３−１は、交差用スリーブ４ｑに挿通されていない。一方、案内手段４１Ｄ２では、互いに交差する二本のポール３のうちの一方のポール３−１は、ポール３−３の下側を通る交差用スリーブ４ｑ−１に挿通され、互いに交差する二本のポール３のうちの他方のポール３−３は、交差用スリーブ４ｑに挿通されていない。したがって、案内手段４１Ｕ２及び案内手段４１Ｄ２は、ポール３−１が他のポール３−２よりもテントシート２から遠い側を通るように交差する場合と、ポール３−１が他のポール３−３よりもテントシート２に近い側を通るように交差する場合とが交互に並ぶように、ポール３−１をガイドしている。
【００８３】
このようなテント１では、案内手段４１Ｕ２及び４１Ｄ２が、互いに交差する二本のポール３−１、３−２及び３−１、３−３の各々を、テントシート２に近い側及び遠い側のうちの所望の側に設置して、確実に互いに交差させることができる。それにより、複数のポール３を平織りのように配置でき、テント１の強度の維持及び安全性の確保と、組み立て易さとをいずれも満足できる。
【符号の説明】
【００８４】
１    テント
２    テントシート
３    ポール
４    スリーブ
４ａ    第１スリーブ
１１    ドーム部
１２    裾部
【図１】
2019015120.tif 000003
【図２】
2019015120.tif 000004
【図３】
2019015120.tif 000005
【図４】
2019015120.tif 000006
【図５】
2019015120.tif 000007
【図６】
2019015120.tif 000008
【図７】
2019015120.tif 000009
【図８】
2019015120.tif 000010
【図９】
2019015120.tif 000011
【図１０】
2019015120.tif 000012
【図１１】
2019015120.tif 000013
【図１２】
2019015120.tif 000014
【図１３】
2019015120.tif 000015